(57)【要約】【課題】  ＨＤＤレコーダの仕様変更を伴わず、いかにしてＰＣとＨＤＤレコーダとを連動動作させ、ＰＣが録画したコンテンツをＨＤＤレコーダに格納可能にする。【解決手段】  ＰＣがＲＦ送信手段を備え、擬似電子番組表を生成してＲＦ送信手段を介してＨＤＤレコーダに擬似電子番組表を送信することによってＨＤＤレコーダの動作を制御することで解決される。擬似電子番組表には、所定のキーワードがＰＣによって付加されており、キーワード録画機能を持つＨＤＤレコーダにはこのキーワードを予め登録しておく。【選択図】図１
2007251452.tif 000002
【特許請求の範囲】
【請求項１】
電子番組表情報と放送番組の映像情報を含む放送信号の受信手段と、前記放送信号から前記電子番組表情報を抽出する手段と、前記放送信号から放送番組の映像情報を抽出して記録する記録手段とを有する映像記録再生装置において、
前記記録手段に記録された放送番組の映像情報を前記映像記録再生装置から送信するために、前記送信する映像情報の転送情報を前記放送信号から抽出した前記電子番組表情報に付加する電子番組表情報の追加手段と、
前記映像情報を記録する記録手段から映像情報を読み出して映像記録再生装置から送信するための映像情報を生成する映像情報生成手段と、
前記転送情報が付加された電子番組表情報を放送信号に変換して出力するとともに、前記映像情報生成手段により生成された前記映像情報を放送信号に変換して出力する放送信号出力部と、を備え、
前記転送情報が付加された電子番組表情報が送信された後に、前記転送情報に設定された時間に前記転送情報に特定された映像情報が送信されることを特徴とする映像記録再生装置。
【請求項２】
前記請求項１に記載の映像記録再生装置において、
前記転送情報は、前記映像記録再生装置から転送される放送信号であることを表す特定のキーワードと放送信号のチャネル番号と放送番組の送信日時と放送番組のタイトル情報を含むことを特徴とする映像記録再生装置。
【発明の詳細な説明】
【技術分野】
【０００１】
本発明は、電子番組表を利用して映像コンテンツを取り扱う映像記録装置の録画機能をパーソナルコンピュータ（以下、ＰＣと略す）から制御可能にするのに好適な技術に関する。
【背景技術】
【０００２】
近年、テレビ視聴・録画機能付きのＰＣが広まっている。ＰＣには演算処理能力の高いプロセッサが搭載されている。プログラムを工夫することにより、わかりやすく使いやすい操作画面（ＧＵＩ）を提供できたり、あるいは、録画したコンテンツにデジタル処理を施して楽しめることが特徴となっている。デジタル処理の一例としては、録画したコンテンツのシーン毎の特徴を抽出し、特徴あるシーンだけを再生するコンテンツ要約機能が知られている。一方、テレビ録画機能を有する装置としては、ＨＤＤレコーダが広く普及している。ＨＤＤレコーダに搭載されているプロセッサの演算処理能力はＰＣに比べると低く、録画したコンテンツに何らかのデジタル処理を施すことはやや困難である。ただし、価格はＰＣよりも安いため、テレビ録画機市場においては、ＰＣとＨＤＤレコーダとが機能と価格の点で棲み分けられている。
【０００３】
テレビ録画機の進歩は早く、時間の経過とともにより魅力的な製品が市場に投入されている状況は、ＰＣの場合とＨＤＤレコーダの場合とでさほどの差は無い。このような中、利用者が新型のＰＣもしくはＨＤＤレコーダを購入するか否か迷っているであろうことが想定される。例えば、既に所有しているＨＤＤレコーダでもまだ十分使えるとなると、新しい機能を持っているといえども新型のＰＣやＨＤＤレコーダを購入する決心がつかず、結果的に新しい機能のよさを享受する機会を逃したりする。また、仮に決心したとしても、今度は、既に所有しているＨＤＤレコーダと新型のＰＣもしくはＨＤＤレコーダとを使い分けて使用することになる。ひとたび新しい機器を使い始めると、使い分けの煩わしさも手伝って、結局のところ、まだ使用できる手持ちのＨＤＤレコーダが使われずに放置されるか、あるいは廃棄されてしまうというような利用者の状況が想定される。
【０００４】
上記のような複数のＰＣやＨＤＤレコーダを有効活用する技術として、例えば、特許文献１がある。この特許文献１には、一台のＶＴＲで複数のＶＴＲの録画予約をおこなうために、個々のＶＴＲに予約設定手段と録画予約データの記憶手段を有し、さらに複数のスレーブＶＴＲを制御する予約データ管理手段を備え、前記予約データ管理手段により、録画予約データをスレーブＶＴＲに転送して録画予約データの振り分けをおこなう技術が開示されている。
【０００５】
【特許文献１】特開平10-40602号公報
【発明の開示】
【発明が解決しようとする課題】
【０００６】
ＰＣとＨＤＤレコーダを有効活用するためには、例えば、新型ＰＣを購入して利用しつつ、新型ＰＣが録画したコンテンツテンツ、あるいは、さらにそれを加工したコンテンツを格納する補助録画装置として、利用者が既に所有しているＨＤＤレコーダが使えるとよい。そして、これを実現するためには、ＰＣとレコーダとが連動動作する仕組みが必要になる。
【０００７】
この実現のために、上記特許文献１の開示技術の適用が考えられるが、ＨＤＤレコーダは所謂クローズドシステムである。つまり、ＨＤＤレコーダ単独で機能が動作するように設計されており、例えばネットワーク接続などによって、他の機器との連携・連動動作をすることはできない仕様となっているものが多い。中にはネットワーク接続機能を備えるＨＤＤレコーダも存在するが、インターネットの閲覧利用がその主な用途であり、ＰＣと接続して録画データをＰＣからＨＤＤレコーダに転送するような機能は提供されていない。
【０００８】
このようなクローズドシステムのＨＤＤレコーダに対し、ＨＤＤレコーダを制御している基本制御ソフトに前述の機能を施した上で基本制御ソフトを更新することによって、ＰＣと接続して録画データをやりとりする機能を実現できる見込みはある。しかし、このような方法の実現は、あまり期待ができない。なぜなら、ＨＤＤレコーダの製造者が基本制御ソフトの設計変更を実施し、それを更新するための基本制御ソフトの提供サービスを実施するか否かに依存するからである。また、通常、ＨＤＤレコーダの基本制御ソフトを利用者が自力で改編することは不可能である。
【０００９】
本願発明は、ＰＣとＨＤＤレコーダを有効活用するために、利用者が既に所有しているＨＤＤレコーダの仕様変更を伴わずに、ＰＣとＨＤＤレコーダとを連動動作が可能なＰＣを提供することを目的としている。
【課題を解決するための手段】
【００１０】
本発明の電子番組表情報と放送番組の映像情報を含む放送信号の受信手段と前記放送信号から前記電子番組表情報を抽出する手段と前記放送信号から放送番組の映像情報を抽出して記録する記録手段とを有する映像記録再生装置は、前記記録手段に記録された放送番組の映像情報を映像記録再生装置から送信するために、前記送信する映像情報の転送情報を前記放送信号から抽出した前記電子番組表情報に付加する電子番組表情報の追加手段と、前記映像情報を記録する記録手段から映像情報を読み出して映像記録再生装置から送信するための映像情報を生成する映像情報生成手段と、前記転送情報が付加された電子番組表情報を放送信号に変換して出力するとともに、前記映像情報生成手段により生成された前記映像情報を放送信号に変換して出力する放送信号の出力回路と、を備えるように構成し、前記転送情報が付加された電子番組表情報が送信された後に、前記前記転送情報に設定された時間に前記転送情報に特定された映像情報が送信されるようにした。
【００１１】
さらに、前記転送情報には、前記映像記録再生装置から転送される放送信号であることを表す特定のキーワードと、放送信号のチャネル番号と、放送番組の送信日時と、放送番組のタイトル情報を含むようにした。
【００１２】
これにより、広く普及している電子番組表情報により録画予約をおこなうＨＤＤレコーダを本発明の映像記録再生装置に接続して、ＨＤＤレコーダの電子番組表の録画予約機能により映像記録再生装置からＨＤＤレコーダへの映像情報の転送が可能となる。
【発明の効果】
【００１３】
本発明によれば、クローズドシステムであるＨＤＤレコーダに対して何ら変更を加えることなく、ＰＣが録画したデータをＨＤＤレコーダに自動的に転送できるようになる。すると、録画予約の操作はＰＣが提供するユーザインターフェイスのみを利用すればよいため、ＰＣとＨＤＤレコーダとを併用する場合の使い分けの煩わしさは解消する。さらに、この煩わしさが解消することで、ＰＣを新規購入した利用者が既に所有していたＨＤＤレコーダを放置、もしくは、破棄してしまう機会を抑制することにも効果が見込める。
【発明を実施するための最良の形態】
【００１４】
以下、本発明の詳細について図面を用いて説明する。
本発明の実施例の構成図を図１に示す。１１は本発明の機能を搭載したＰＣである。ＰＣ１１には、ＣＰＵ１０１、システムＬＳＩ１０２、主記憶１０３、ＨＤＤ１０４が搭載されており、これらによってＰＣのオペレーティングシステムあるいは各種のＰＣプログラムの実行が可能である。尚、これら機能の動作は一般的なＰＣのそれと何ら変わらないため、詳細な説明は割愛する。
【００１５】
以下、ＰＣ１１のテレビ番組録画機能に関連する構成要素について説明する。また、本実施例の説明は、テレビ放送波としてアナログ地上波を例にする。
【００１６】
ＰＣ１１には、テレビチューナ部１０５が搭載されており、テレビチューナ部１０５が備えるＲＦ入力端子１０７にはテレビアンテナ１０９が接続される。テレビアンテナ１０９が受信したテレビ放送波は、ＲＦ入力端子１０７を介してＲＦ信号としてテレビチューナ１０５に伝達される。テレビチューナ部１０５には、伝達されたＲＦ信号の搬送波成分などを含まない実際の映像音声信号を取り出すテレビチューナ機能と、取り出された映像音楽信号をデジタル信号に変換し、さらに、所定のアルゴリズムに基づいてデータ圧縮処理をしてシステムバス１１２に出力する信号処理機能とが具備されている。ＰＣ１１の番組録画機能は、システムバス１１２に出力された圧縮データ（以下、録画データと呼ぶ）をＨＤＤ１０４に保存することによって実現される。
【００１７】
他方、テレビ放送波には、電子番組表と呼ばれるテレビ番組の放送予定、番組名などが含まれたデータ（以下、電子番組表データと呼ぶ）が所定の時間およびチャンネルの放送波に付加されて送信されている。詳しくは、電子番組表データは映像信号のブランク期間に付加されている。テレビチューナ部１０５は、テレビチューナ機能から出力される映像信号のブランク期間から電子番組表データを取り出す機能を備えており、取り出された電子番組表データはシステムバス１１２に出力される。録画データと同様に、電子番組表データはＨＤＤ１０４に格納される。
【００１８】
１０６はＲＦ信号送信部である。ＲＦ信号送信部１０６は、システムバス１１２より入力された録画データに対して、テレビチューナ部１０５と同一のアルゴリズムに基づいてデータ伸張処理を実行し、伸張された映像音声データをアナログ信号に変換する信号処理機能を具備している。さらに、アナログ信号に変換された映像音声信号に対して搬送波成分などを重畳してＲＦ信号を生成する信号変調機能を具備しており、このＲＦ信号をＲＦ信号端子１０８に出力する。さらに、ＲＦ信号送信部１０６は、システムバス１１２より入力された電子番組表データをＲＦ信号に付加する機能を具備している。ＲＦ信号送信部１０６の機能を簡潔に言えば、テレビチューナ部１０５が備える各機能を逆方向に実行する機能である。
【００１９】
１２はＨＤＤレコーダであり、電子番組表データを参照して所定のキーワードが含まれるか否かを検索し、含まれている場合はその番組を録画するキーワード録画機能を備えている。キーワードは、ＨＤＤレコーダ１２が備えるＧＵＩを操作することによって利用者が任意に登録することができる。ＨＤＤレコーダ１２は、ＲＦ信号ケーブル１１１を介してＰＣ１１と接続されている。１１０は、ＨＤＤレコーダ１２が備えるＲＦ入力端子であり、ＨＤＤレコーダが単独で使用される場合、テレビアンテナ１０９はＲＦ入力端子１１０に接続されるものである。
【００２０】
次に、ＰＣ１１によって利用される電子番組表データについて、図２に示した電子番組表データの模式図を用いて説明する。尚、説明を簡単にするため、電子番組表データの内容は模式図で表現してある。
【００２１】
２０１は放送日時を示すデータである。図２に示した２０１のデータは、番組が２００５年１月１日の１９時から２１時まで放送されることを意味している。次に、２０２はチャンネルデータである。図２に示した２０２のデータは、番組が第３チャンネルで放送させることを意味する。次に、２０３は番組のタイトルである。次に、２０４は番組に出演する出演者のデータである。ＰＣ１１は、２０１と２０２のデータを利用することで予約録画機能を実現することができる。実際には、ＰＣ１１に搭載されているＣＰＵ１０１で実行されている予約録画制御プログラムが図１を用いて説明した録画機能を制御する。２０１で示される時刻になると、ＣＰＵ１０１から、２０２で示されるチャンネルを設定するための制御コマンドがテレビチューナ１０５に送られ、録画機能が実行される。２０３と２０４は、利用者にどんな番組が放送されるかをＧＵＩを通して伝達するための付加情報である。ＨＤＤレコーダ１２が備える電子番組表データを用いた予約録画機能の基本的な動作原理は同様であるが、キーワード録画機能では２０３と２０４のデータが利用される。
【００２２】
次に、ＰＣ１１によって生成される擬似電子番組表データについて説明する。２０５はＰＣ１１がＨＤＤレコーダ１２に録画時間を指定するためのデータである。ＨＤＤレコーダ１２から見れば、データ２０５の意味には特段の変わりはなく放送日時となる。２０１のデータによれば、実際の放送は２００５年１月１日の１９時から２１時で行われるが、ＰＣ１１からＨＤＤレコーダ１２に録画データを転送する日時はＰＣ１１によって任意に設定可能である。本実施例では、当日の２１時１５分から２３時１５分までの２時間としている。転送する日時の指定は、必ずしもＰＣ１１による録画終了後である必要はない。ただし、ＰＣ１１が録画データに対してなんらかの処理を実施することを想定した場合、転送時間の指定は録画終了後となる。例えば、録画データから特徴シーンを抽出してダイジェスト化するような処理を実施する場合である。２０６はＰＣ１１がＨＤＤレコーダ１２に対して録画チャンネルを指定するためのデータである。ＨＤＤレコーダ１２から見れば、データ２０６の意味はあくまでも番組が放送されるチャンネルの番号である。２０７は番組のタイトルである。このデータはＨＤＤレコーダ１２に転送する録画データの番組名を意味するので、２０３と同一内容であればよい。２０８は２０４と同様に出演者データである。２０８は２０４のデータと同一内容としつつ、特定の単語を挿入する。本実施例では、「転送録画」という単語を使用した。
【００２３】
以上のような擬似電子番組表データがＰＣ１１よって生成される。説明では模式図を用いたが、ＰＣ１１とＨＤＤレコーダ１２との間で扱われる擬似電子番組表の実際のデータは、テレビ放送波から受信される電子番組表データと同一形式で生成される。
以下、利用者がどのようにして図１に示した構成のシステムを使用するかを、ＰＣ１１およびＨＤＤレコーダ１２の動作内容と共に説明する。
【００２４】
利用者は、はじめにＨＤＤレコーダ１２を操作してキーワード録画機能を動作させるためのキーワードを登録する。本実施例では、「転送録画」というキーワードを設定する。利用者がＨＤＤレコーダ１２に対して設定すべき内容は、このキーワードの登録のみである。次に、ＰＣ１１を操作して予約録画を実施する。ＰＣ１１は予約録画の設定をするＧＵＩにＨＤＤレコーダ１２に保存するか否かを選択する項目を提供する。利用者は、ＨＤＤレコーダ１２に録画データを保存したい番組であれば、保存する設定を選択する（以下、この設定による録画モードを転送録画モードと呼ぶ）。ＰＣ１１に対する予約録画設定が転送録画モードである場合、ＰＣ１１は図２に示した擬似電子番組表データを自動生成し、実際のテレビ放送波で電子番組表データが送信される時刻とチャンネルで、ＲＦ送信部１０６からＲＦ信号で出力する。擬似電子番組表データの送信は、転送録画モードによる録画予約設定がなされた後、最初の電子番組表送信時間で送信する。擬似電子番組表データを受信したＨＤＤレコーダ１２は、既に登録された「転送録画」というキーワードの検索を擬似電子番組表データに対して実行する。前述の通り、擬似電子番組表データの出演者データには「転送録画」という単語が挿入されているので、ＨＤＤレコーダ１２は擬似電子番組表データが示す日時とチャンネル番号での番組録画の予約を実行する。ＰＣ１１で設定した予約録画の日時になると、ＰＣ１１は録画処理を実行する。転送録画モードによる録画処理であった場合、ＰＣ１１はさらに、擬似電子番組表データに示した時刻になると、同擬似電子番組表データに示したチャンネルで、録画データをＲＦ送信部１０６からＲＦ信号で出力する。また、同時刻にＨＤＤレコーダ１２もキーワード録画機能を実行し、ＰＣ１１から送信される録画データを受信し保存する。利用者は、上述のようにしてＨＤＤレコーダ１２に保存された録画データを視聴する場合、ＨＤＤレコーダ１２を操作することによって視聴する。
【００２５】
なお、新たに番組録画をする場合、上述のＨＤＤレコーダ１２へのキーワード登録は不要であり、ＰＣ１１に対する予約録画を転送録画モードで設定するだけでよい。
【図面の簡単な説明】
【００２６】
【図１】本発明の実施例の構成図である。
【図２】本発明の実施例の電子番組表データ模式図である。
【符号の説明】
【００２７】
１１…ＰＣ、１０１…ＣＰＵ部、１０２…システムＬＳＩ、１０３…主記憶、
１０４…ＨＤＤ、１０５…テレビチューナ部、１０６…ＲＦ送信部、
１０７…ＲＦ入力端子、１０８…ＲＦ出力端子、１０９…テレビアンテナ、
１１０…ＲＦ入力端子、１１１…ＲＦ信号ケーブル、１１２…システムバス、
２０１…日時データ、２０２…チャンネルデータ、２０３…タイトルデータ、
２０４…出演者データ、２０５…擬似日時データ、２０６…擬似チャンネルデータ、
２０７…タイトルデータ、２０８…擬似出演者データ、
【図１】
2007251452.tif 000003
【図２】
2007251452.tif 000004